(57)【要約】【課題】  就寝中に掛け布団と敷布団とのズレを防止すると共に、布団の上げ下ろしに際して取り扱いも良好な就寝中のズレ防止用布団を提供する。【解決手段】  掛け布団と敷布団とから構成されてなる就寝中のズレ防止用布団において、掛け布団の足元部から所定幅を有する帯状部を延出形成すると共に、敷布団の足元部から所定幅を有する帯状部を延出形成しておき、当該両帯状部の対向面部にそれぞれ着脱可能な面ファスナーを形成し、当該面ファスナーにより接合した掛け布団と敷布団との帯状部の外部上面に複数個の接合フックを形成した押さえ板を形成した。【選択図】図１
0003153533.tif 000002
【実用新案登録請求の範囲】
【請求項１】
掛け布団と敷布団とから構成されてなる就寝中のズレ防止用布団において、掛け布団の足元部から所定幅を有する帯状部を延出形成すると共に、敷布団の足元部から所定幅を有する帯状部を延出形成しておき、当該両帯状部の対向面部にそれぞれ着脱可能な面ファスナーを形成し、当該面ファスナーにより接合した掛け布団と敷布団との帯状部の外部上面に複数個の接合フックを形成した押さえ板を形成したことを特徴とする就寝中のズレ防止用布団。
【請求項２】
掛け布団と敷布団の両帯状部を貫通する貫通孔を穿設しておくと共に、押さえ板には当該両帯状部に穿設した貫通孔と同心となる複数個の接合フックを形成したことを特徴とする請求項１に記載する就寝中のズレ防止用布団。
【考案の詳細な説明】
【技術分野】
【０００１】  本考案は就寝中における掛け布団と敷布団とのズレを防止する布団に関するものである。
【背景技術】
【０００２】  従来は、敷布団を敷き、その上に掛け布団を重ねて就寝する。掛け布団を敷布団の上に重ねただけでは、睡眠中における就寝者の寝返りなどにより掛け布団がズレたり、肌蹴てしまい寝冷えを生じてしまう。【０００３】  また、掛け布団が肌蹴ないまでも、足元や布団側面の隙間が拡大して、寝具として保温機能が低下し、冷え性などの人にとっては就寝を妨げてしまう。【０００４】  掛け布団のズレや肌掛けを防止するために、従来では掛け布団の周囲を敷布団の下面に折り込んで裾や側面を押さえる場合には、掛け布団と敷布団との間が狭くなり、足元が窮屈となってかえって肌蹴てしまう原因ともなっていた。【０００５】  本考案は上記の問題点を解消するために成されたもので、就寝中の敷布団を覆う上掛け布団のズレを防止するもので、寝具の保温効果を持続し、寝冷えを起こさずに取り扱いも容易な就寝中のズレ防止用布団を提供するのが目的である。
【先行技術文献】
【特許文献】
【０００６】
【特許文献１】  実用新案登録第３０８５８０５号
【０００７】  上記の従来技術は、二つの掛け布団カバーＡ，Ｂを重ねたときの足元部を左右両側の開端をファスナーで開閉可能に構成されている。そして、敷布団Ｃは掛け布団カバーＡの上に敷き、掛け布団Ｄは掛け布団カバーＢに入れる。【０００８】  そのために敷布団は袋状に形成された上掛け寝具と折返し用布との間に挟持されていると共に、敷布団は掛け布団カバーの上に敷かれているので、敷布団を覆う上掛け寝具のズレを防止することができるものとなっている。【０００９】
【特許文献２】  実用新案登録第３１４５７５９号
【００１０】  上記の従来技術は、敷布団を覆う上掛け寝具の足元側に折り返してなる上掛け寝具と同じ幅で足元部から頭部にかけての折返し用布を縫い合わせて固定されている。そして、縫い合わせ部分から折返し用布を敷布団の足元側から頭部側に敷き込み、折返し用布の両側面と上掛け寝具の対向面に着脱自在なファスナーで固定して袋状に構成されている。【００１１】  そのために敷布団は袋状に形成された上掛け寝具と折返し用布との間に挟持されているので、敷布団を覆う上掛け布団のズレを防止することができるものとなっている。【００１２】  従来の上掛け布団と敷き布団とのズレを防止する技術としては、上掛け布団や敷布団を袋状に形成したカバー内に収納して使用するものであることから、掛け布団のズレの防止と保温効果を得ることができるものとなっている。【００１３】  しかしながら、掛け布団と敷布団はそれぞれ袋状のカバー内に収納されることから、布団の上げ下ろしに際しては、その都度、収納カバーを取り外さなければならないという煩雑さがあり、寝具の取り扱いに支障をきたし、取り扱いの容易性に欠けるという問題を有していた。
【考案の概要】
【考案が解決しようとする課題】
【００１４】  本考案は上記のような従来技術が有している課題を解消しようとするもので、就寝中のズレ防止用布団を提供するのが目的である。
【課題を解決するための手段】
【００１５】  本考案は上記のような課題を解消しようとするもので、次のような手段を講じたものである。【００１６】  登録を受けようとする第１の考案は、掛け布団と敷布団とから構成されてなる就寝中のズレ防止用布団において、掛け布団の足元部から所定幅を有する帯状部を延出形成すると共に、敷布団の足元部から所定幅を有する帯状部を延出形成しておき、当該両帯状部の対向面部にそれぞれ着脱可能な面ファスナーを形成し、当該面ファスナーにより接合した掛け布団と敷布団との帯状部の外部上面に複数個の接合フックを形成した押さえ板を形成したことを特徴とする就寝中のズレ防止用布団である。【００１７】  登録を受けようとする第２の考案は、掛け布団と敷布団の両帯状部を貫通する貫通孔を穿設しておくと共に、押さえ板には当該両帯状部に穿設した貫通孔と同心となる複数個の接合フックを形成したことを特徴とする請求項１に記載する就寝中のズレ防止用布団である。
【考案の効果】
【００１８】  第１の考案によれば、掛け布団と敷布団との帯状部に形成した面ファスナーにより接合して押さえ板により接合されるので、就寝中に掛け布団と敷布団とのズレを防止することができるという効果を有する。また、掛け布団と敷布団との足元部分だけが接合されているだけなので、布団の上げ下ろしに際して取り扱いも良好なものとなる。【００１９】  上記の第２の考案によれば、掛け布団と敷布団及び押さえ板とを同心の貫通孔によって接合フックにより接合するので、就寝中に掛け布団と敷布団とのズレを強固に防止することができるという効果を有する。
【図面の簡単な説明】
【００２０】
【図１】  本考案に係る就寝中のズレ防止用布団の分解斜視図である。
【図２】  帯状部と押さえ板との分解斜視図である。
【図３】  使用状態における一部断面図である。
【実施例】
【００２１】  以下に本考案の実施例について説明する。【００２２】  図１において、１は掛け布団であり、当該掛け布団１の短手方向の側面部には後述する敷布団と少なくとも同幅長の帯状部２が形成されている。３は敷布団であり、当該敷布団３には、上記の掛け布団１に形成した帯状部２と接合される帯状部４が形成されている。これら両帯状部２及び４の対抗面にはそれぞれ面ファスナー２ａ及び４ａが形成されている。また、両帯状部２及び４には所定間隔をおいて同心となるように貫通孔２ｂ及び４ｂが穿設されている。【００２３】  ５は上下一対の押さえ板であり、当該押さえ板５は、少なくとも上記の両帯状部２及び４と同長、同幅に形成されていると共に、前記の帯状部２及び４に穿設されている貫通孔２ｂ及び４ｂと同心位置に複数個の貫通孔５ｂが穿設されている。６はこれらの貫通孔２ｂ及び４ｂ、貫通孔５ｂを貫通して帯状部２及び４と一対の押さえ板５とを一体的に固定する接合フックである。接合フック６はプラスチック製の接合凸部６ａと接合凹部６ｂにより形成され、着脱が容易に形成されている。
【産業上の利用可能性】
【００２４】  本考案は、就寝中に掛け布団と敷布団とのズレを防止することができるという効果を有すると共に、掛け布団と敷布団との足元部分だけが接合されているだけなので、布団の上げ下ろしに際して取り扱いも良好な就寝中のズレ防止用布団を提供することができる。
【符号の説明】
【００２５】    １  掛け布団
２  帯状部
３  敷布団
４  帯状部
５  押さえ板
６  接合フック
【図１】
0003153533.tif 000003
【図２】
0003153533.tif 000004
【図３】
0003153533.tif 000005